(57)【要約】      （修正有）【課題】  外壁部分の開口部に、特殊な構成部材や接合金物を用いずかつ手間をかけずに、外壁取付部材を自由な位置に取付け、かつその他の部分をコンクリート板で塞ぐことができ、更に優れた耐震性能を発揮する壁面構造体とその構築方法を提案する。【解決手段】  開口部１の所望の位置で構造躯体（梁３、スラブ４）に取り付けられた外壁取付部材１２（窓サッシ、玄関扉等）と、外壁取付部材の取付け部以外を塞ぐコンクリート板１４と、コンクリート板の上下部を構造躯体に揺動可能に固定する上部及び下部の固定装置１６、１８とからなる。上部固定装置１６は、上端が開口部上縁の構造躯体に固定されコンクリート板の上端面を揺動可能に吊り下げる。また下部固定装置１８は、下端が開口部下縁の構造躯体に固定されコンクリート板の下端面を揺動可能に支持し、支持部材間をシール部材２１で水密にシールする。【選択図】      図２
2006112113.tif 000002
【特許請求の範囲】
【請求項１】
建物の構造躯体に構築された外壁部分に相当する開口部を塞ぐ壁面構造体であって、
前記開口部の所望の位置で構造躯体に取り付けられた外壁取付部材と、該外壁取付部材の取付け部以外を塞ぐコンクリート板と、該コンクリート板の上下部を構造躯体に揺動可能に固定する上部及び下部の固定装置とからなり、
上部固定装置は、上端が開口部上縁の構造躯体に固定されコンクリート板の上端面を揺動可能に吊り下げる吊下装置であり、
下部固定装置は、下端が開口部下縁の構造躯体に固定されコンクリート板の下端面を揺動可能に支持する支持装置であり、
該支持装置は、コンクリート板の下端中央部の一点を揺動可能に支持する第１支持部材と、該第１支持部材に上部が固定され下端が構造躯体に固定された第２支持部材と、第１支持部材と第２支持部材の間を水密に塞ぐシール部材とからなる、ことを特徴とする壁面構造体。
【請求項２】
前記第１支持部材は、コンクリート板の下端中央部の一点で揺動可能にコンクリート板に固定された板固定板と、該板固定板の下端に一部が溶接されコンクリート板の下端面から一定の隙間を有する水平部を有する第１のＬ形部材とからなり、
前記第２支持部材は、第１Ｌ形部材に一部が溶接され開口部下縁に沿って延びる水平部を有する第２のＬ形部材とからなり、
前記シール部材は、第１Ｌ形部材と第２Ｌ形部材の間を水密に塞ぐモルタルと、該モルタルの室外側表面を水密に覆う防水部材と、該防水部材とコンクリート板の下端面との間を着脱可能にシールするシーリング部材とからなる、ことを特徴とする請求項１記載の壁面構造体。
【請求項３】
建物の構造躯体に構築された外壁部分に相当する開口部を塞ぐ壁面構造体の構築方法であって、
外壁取付部材を前記開口部の所望の位置で構造躯体に取り付け、
コンクリート板を外壁取付部材の取付け部以外に位置決めし、
上端が開口部上縁の構造躯体に固定された吊下装置で、コンクリート板の上端面を揺動可能に吊り下げ、
下端が開口部下縁の構造躯体に固定された支持装置で、コンクリート板の下端面を揺動可能に支持し、これにより各コンクリート板の上下部を構造躯体に揺動可能に固定する、ことを特徴とする壁面構造体の構築方法。
【請求項４】
前記支持装置は、コンクリート板の下端中央部の一点を揺動可能に支持する第１支持部材と、該第１支持部材に上部が固定され下端が構造躯体に固定された第２支持部材と、第１支持部材と第２支持部材の間を水密に塞ぐシール部材とからなる、ことを特徴とする請求項３に記載の壁面構造体の構築方法。
【請求項５】
前記第１支持部材は、コンクリート板の下端中央部の一点で揺動可能にコンクリート板に固定された板固定板と、該板固定板の下端に一部が溶接されコンクリート板の下端面から一定の隙間を有する水平部を有する第１のＬ形部材とからなり、
前記第２支持部材は、第１Ｌ形部材に一部が溶接され開口部下縁に沿って延びる水平部を有する第２のＬ形部材とからなり、
前記シール部材は、第１Ｌ形部材と第２Ｌ形部材の間を水密に塞ぐモルタルと、該モルタルの室外側表面を水密に覆う防水部材と、該防水部材とコンクリート板の下端面との間を着脱可能にシールするシーリング部材とからなる、ことを特徴とする請求項４記載の壁面構造体の構築方法。
【発明の詳細な説明】
【技術分野】
【０００１】
本発明は、建物の構造躯体に構築された開口部を塞ぐ壁面構造体とその構築方法に関する。
【背景技術】
【０００２】
マンション等の分譲集合住宅において、分譲集合住宅の購入者が、自分のライフスタイルに合わせて間取りを選択できるように、各住戸区画（購入者の専有部分）の間取りを希望に応じて変更できることが従来から強く要望されている。
この要望に応じて、近年では、３〜４タイプの間取りから自由に選択できることが一般的になっており、更に、２０タイプや３０タイプもの間取りから選択できるものも現れてきている。
【０００３】
一方、鉄筋コンクリート造の集合住宅の施工においては、建物の構造躯体（柱、梁、スラブ等）の構築と同時に構造上強度が重視されない壁（住居間の内壁や外壁等）も構築し、その後に各住居内の間仕切壁や内装を行う工法（以下、「壁一体工法」と呼ぶ）が一般的である。しかし壁一体工法の場合、間取りが変化すると、当然のことながら部屋の配置が変わり、それによって外壁に面する窓枠の位置、大きさ、形状を変える必要がある。
【０００４】
そのため、分譲集合住宅においては、すべての購入者の間取りが決まらないと、建物の構造躯体の構築（型枠の製作やコンクリートの打設）ができず、住宅の完成が遅れる問題があった。その結果、従来、購入者は、建物の構造躯体を構築する前に、早期に間取りを決定しなければならない不便があった。
【０００５】
そこで、窓枠を設ける外壁部分を構造躯体と一体に構築せずにその部分を開口部として構造躯体を先に構築し、間取り決定後に、開口部をコンクリート板や窓サッシで塞ぐ工法（以下、「壁分離工法」と呼ぶ）が提案されている（例えば、特許文献１、２）。
【０００６】
図８は、軽量気泡コンクリート（ＡＬＣ：Ａｕｔｏｃｌａｖｅｄ  Ｌｉｇｈｔ-ｗｅｉｇｈｔ  Ｃｏｎｃｒｅｔｅ）製の板（以下、ＡＬＣ板という）を用いた壁分離工法による外壁構造の室内側からの正面図であり、図９は、そのＡＬＣ板部分の断面図である。
図８において、両サイドが柱２、上部が梁３、下部がスラブ４で、四方が建物の構造躯体に囲まれた開口部１に窓サッシとＡＬＣ板を取付けた構造を示している。窓サッシは、通常、サッシの外枠の上下を開口部に数ヶ所設けられたアンカーに溶接固定し、隙間にモルタルを充填することで固定される。
また、ＡＬＣ板は図９に示すとおり、下部は、防水上の観点からコンクリート立ち上がりを形成し、その上にＬ形アングルを敷設し、ＡＬＣ固定プレートで接合され、上部は、開口部の上部に取付けたＬ形アングルにＡＬＣ固定プレートで接合される。
【０００７】
特許文献１の「壁体の構築法」は、壁体を多様な形態に容易に変えることができるようにすることを目的とし、図１０に示すように、複数種類の基本壁ユニット５１，５３，５８を用意しておき、これらの基本壁ユニットから選択した複数の基本壁ユニットを柱６１及び梁６２に囲まれた開口部６３に建て込んで、取付け部材６４，６５に取り付けてユニット壁体６０を構築するものである。
【０００８】
特許文献２の「壁面構造体」は、自由な間取りの変更に対応できることを主目的とし、図１１に示すように、相対向する柱６１と上下の梁６２とによって囲まれた壁面開口部に配設され壁面を構成する壁面構造体７０を、可動サッシ７１と、柱６１と可動サッシ７１の間に配設される中空パネル部材７２と、可動サッシ７１同士の間に配設される固定サッシ７３とで構成するものである。
【０００９】
【特許文献１】特開平５−１３３０２３号公報、「壁体の構築法」
【特許文献２】特開２０００−２４８６６３号公報、「壁面構造体」
【発明の開示】
【発明が解決しようとする課題】
【００１０】
図８の正面概略図からわかるとおり、従来のＡＬＣ板を用いた外壁構造では、予め窓サッシの大きさや位置が決まっていないと、ＡＬＣ板を取付けるためのコンクリート立ち上がりを造ることができない。また、このコンクリート立ち上がりは、防水処理を行うためのものであるから、建物の構造躯体を構築する際に一体的に施工するのが好ましい。
一方、窓サッシは、上述したように、サッシの外枠の上下を開口部に数ヶ所設けられたアンカーに溶接固定し、隙間にモルタルを充填することで固定されるので、ＡＬＣ板の部分と窓サッシ部とでは、コンクリート立ち上がりの有無のため段差ができる。
従って、従来のＡＬＣ板を用いた外壁構造では、壁分離工法であっても、間取り変更によって、窓サッシの大きさや位置に変更があった場合、その変更に対応できないという問題があった。
さらに、建物の構造躯体の位置精度は、型枠のずれやコンクリートの圧力等により、数ミリ程度は誤差が生じることが多い。そのため、従来は、建て込むＡＬＣ板の水平レベルを一定にするために、コンクリート立ち上がりの上面にモルタルを塗り、レベルを一定にした上でＬ形アングルの固定をするか、上部板固定板でＡＬＣ板を固定する際に水平レベルをとる必要があり、レベル調整に手間が掛かる問題があった。
【００１１】
一方、特許文献１や特許文献２の手段によれば、建物の構造躯体の構築後であっても、購入者が選択する間取りに合わせて外壁に面する窓サッシの形状や大きさを変えて施工することが可能になり、購入者に不便を強いることが解消される。
しかし、特許文献１は、柱や梁あるいは壁やスラブによって形成される開口部の上部と下部にランナー部材を設け、その上下のランナー部材の間に壁部材や窓サッシを固定する構成であり、当然のことながら、従来の窓サッシやＡＬＣ板をそのまま利用することができない欠点があり、特殊な構成部材を必要とすることから結果的にコスト高であるという問題がある。
【００１２】
また、特許文献２では、各構成部材についてパネル化し、地震時における層間水平変位に追従可能な外壁部材が提案されているが、層間変位に追従するための機構が複雑であり、そのための特殊な接合金物を必要とすることから、やはり結果的にコスト高であるという問題がある。
【００１３】
本発明は、これらの問題に鑑み創案されたものである。すなわち本発明の目的は、外壁部分を開口部として構造躯体を先に構築し、間取り決定後に、特殊な構成部材や接合金物を必要とすることなく、かつレベル調整等に手間をかけることなく、窓サッシ、玄関扉等の外壁取付部材を自由な位置に取付け、かつその他の部分をコンクリート板で塞ぐことができ、更に優れた耐震性能を発揮することができる壁面構造体とその構築方法を提案することにある。
【課題を解決するための手段】
【００１４】
本発明によれば、建物の構造躯体に構築された外壁部分に相当する開口部を塞ぐ壁面構造体であって、
前記開口部の所望の位置で構造躯体に取り付けられた外壁取付部材と、該外壁取付部材の取付け部以外を塞ぐコンクリート板と、該コンクリート板の上下部を構造躯体に揺動可能に固定する上部及び下部の固定装置とからなり、
上部固定装置は、上端が開口部上縁の構造躯体に固定されコンクリート板の上端面を揺動可能に吊り下げる吊下装置であり、
下部固定装置は、下端が開口部下縁の構造躯体に固定されコンクリート板の下端面を揺動可能に支持する支持装置であり、
該支持装置は、コンクリート板の下端中央部の一点を揺動可能に支持する第１支持部材と、該第１支持部材に上部が固定され下端が構造躯体に固定された第２支持部材と、第１支持部材と第２支持部材の間を水密に塞ぐシール部材とからなる、ことを特徴とする壁面構造体が提供される。
【００１５】
本発明の好ましい実施形態によれば、前記第１支持部材は、コンクリート板の下端中央部の一点で揺動可能にコンクリート板に固定された板固定板と、該板固定板の下端に一部が溶接されコンクリート板の下端面から一定の隙間を有する水平部を有する第１のＬ形部材とからなり、
前記第２支持部材は、第１Ｌ形部材に一部が溶接され開口部下縁に沿って延びる水平部を有する第２のＬ形部材とからなり、
前記シール部材は、第１Ｌ形部材と第２Ｌ形部材の間を水密に塞ぐモルタルと、該モルタルの室外側表面を水密に覆う防水部材と、該防水部材とコンクリート板の下端面との間を着脱可能にシールするシーリング部材とからなる。
【００１６】
また本発明によれば、建物の構造躯体に構築された外壁部分に相当する開口部を塞ぐ壁面構造体の構築方法であって、
外壁取付部材を前記開口部の所望の位置で構造躯体に取り付け、
コンクリート板を外壁取付部材の取付け部以外に位置決めし、
上端が開口部上縁の構造躯体に固定された吊下装置で、コンクリート板の上端面を揺動可能に吊り下げ、
下端が開口部下縁の構造躯体に固定された支持装置で、コンクリート板の下端面を揺動可能に支持し、これにより各コンクリート板の上下部を構造躯体に揺動可能に固定する、ことを特徴とする壁面構造体の構築方法が提供される。
【００１７】
本発明の好ましい実施形態によれば、前記支持装置は、コンクリート板の下端中央部の一点を揺動可能に支持する第１支持部材と、該第１支持部材に上部が固定され下端が構造躯体に固定された第２支持部材と、第１支持部材と第２支持部材の間を水密に塞ぐシール部材とからなる。
【００１８】
前記第１支持部材は、コンクリート板の下端中央部の一点で揺動可能にコンクリート板に固定された板固定板と、該板固定板の下端に一部が溶接されコンクリート板の下端面から一定の隙間を有する水平部を有する第１のＬ形部材とからなり、
前記第２支持部材は、第１Ｌ形部材に一部が溶接され開口部下縁に沿って延びる水平部を有する第２のＬ形部材とからなり、
前記シール部材は、第１Ｌ形部材と第２Ｌ形部材の間を水密に塞ぐモルタルと、該モルタルの室外側表面を水密に覆う防水部材と、該防水部材とコンクリート板の下端面との間を着脱可能にシールするシーリング部材とからなる。
【発明の効果】
【００１９】
上記本発明の壁面構造体とその構築方法によれば、建物の構造躯体に外壁部分に相当する開口部を構築し、この開口部の所望の位置に外壁取付部材（窓サッシ、玄関扉等）を構造躯体に取り付け、コンクリート板で外壁取付部材の取付け部以外を塞ぐので、外壁部分を開口部として構造躯体を先に構築し、間取り決定後に、窓サッシ、玄関扉等の外壁取付部材を自由な位置に取付け、かつ、その他の部分をコンクリート板で塞ぐことができる。
【００２０】
また、外壁取付部材（窓サッシ、玄関扉等）は、開口部の所望の位置で構造躯体に従来と同様に取り付け、コンクリート板は、従来と同様の上部固定装置と下部固定装置、すなわち、板固定板、Ｌ形部材、シール部材（モルタル、防水部材及びシーリング部材）で取り付けられるので、特殊な構成部材や接合金物を必要とすることなく安価に構築することができる。
【００２１】
さらに、支持装置を構成する第１支持部材と第２支持部材は、板固定板、第１Ｌ形部材、および第２Ｌ形部材からなり、第１Ｌ形部材に第２Ｌ形部材の一部を溶接することで、開口部下縁からコンクリート板の下端面までの位置（高さ）を調整できるので、ＡＬＣ板の水平レベルを一定にするために、コンクリート立ち上がりの上面にモルタルを塗るようなレベル調整の手間をなくすことができる。
【００２２】
また、コンクリート板の上下部が上部及び下部の固定装置で構造躯体に揺動可能に固定されるので、地震等の際に各コンクリート板が上下部が固定されたまま変位に追従して揺動することができ、優れた耐震性能を発揮することができる。
【発明を実施するための最良の形態】
【００２３】
以下、本発明の好ましい実施形態を図面を参照して説明する。なお、各図において共通する部分には同一の符号を付し、重複した説明を省略する。
【００２４】
図７は、ロッキング構法の原理図である。ロッキング構法とは、上下に長い矩形のＡＬＣ板（又はＰＣ板）の上下中央部の各一点を構造躯体に揺動可能に固定することにより、地震時に構造躯体の上部と下部が変位を受けた場合でも、ＡＬＣ板がこれに追従して揺動し、ＡＬＣ板に作用する外力を低減し、その亀裂や破損を防止するものである。
地震時の変位は、構造躯体の層間変形角Ｒで代表することができ、Ｒ＝１／２００は、関東大震災や神戸地震級の大地震である。従ってＲ＝１／２００において、建物が損傷を受けても崩壊しなければよいとされている。
【００２５】
そこでＡＬＣ板による従来構法を再度検討してみると、そもそも、従来の窓サッシ自体が、許容範囲とされる層間変位角１／２００に追従できるものであり、窓サッシに関しては従来どおりの構造であっても関東大震災や神戸地震級の大地震に耐えられるといえる。
また、ＡＬＣ板の固定手段についても、層間変位に対応するロッキング構法を生かすことにより、同様に大地震に耐えられる構造とすることができる。本発明はかかる新規の知見に基づくものである。
【００２６】
図１は、本発明による壁面構造体の外壁の室内側からの正面図であり、図２は図１のＡ−Ａ線における横断面図である。
【００２７】
図１に示すように、本発明の壁面構造体１０は、建物の構造躯体に構築された外壁部分に相当する開口部１を塞ぐものである。建物の構造躯体は、この例において、２本の鉛直な柱２、上部の水平な梁３、及び下部の水平なスラブ４からなり、その内側に開口部１を形成している。開口部１は好ましくは矩形開口部であり、開口部の下面（スラブ４の上面）が一定の水平高さに設定されている。
なお開口部１は、建物の設計上，意匠上の要求により、台形、平行四辺形等の異形であってもよい。
【００２８】
本発明の壁面構造体１０は、外壁取付部材１２、コンクリート板１４、及び上部及び下部の固定装置１６，１８からなる。
【００２９】
外壁取付部材１２は、この例では、窓サッシ１２ａであり、開口部１の所望の位置で構造躯体に直接取り付けられる。窓サッシの取付け手段は、サッシの外枠の上下を開口部に数ヶ所設けられたアンカーに溶接で固定し、隙間にモルタルを充填するのがよい。
しかし、本発明はこの手段に限定されず、耐震性能を有し、かつ安価にできれば他の周知の手段でもよい。
【００３０】
コンクリート板１４は、この例ではＡＬＣ板（軽量気泡コンクリート板）であるが、ＰＣ板（プレキャストコンクリート板）であってもよい。またコンクリート板１４の形状は、好ましくは矩形であるが、異形開口に合わせるために部分的に異形であってもよい。コンクリート板１４は、外壁取付部材１２の取付け部以外を塞ぐように１又は複数設けられる。コンクリート板１４の大きさ及び形状は、規格として統一してもよく、或いは開口部に合わせて適宜設定してもよい。
なおこの例では、各コンクリート板１４は上下に長い長方形であり、上端中央と下端中央に固定用のボルト孔１４ａ（雌ネジ）が設けられている。
【００３１】
上部及び下部の固定装置１６，１８は、コンクリート板１４の上下部を構造躯体に揺動可能に固定する機能を有する。
【００３２】
図２に示すように、上部固定装置１６は、上端が開口部上縁の構造躯体（梁３の下面）に固定され、コンクリート板１４の上端面を揺動可能に吊り下げる吊下装置である。
この吊下装置１６は、この例では、上部板固定板１６ａと上部Ｌ形部材１６ｂ（例えばＬ形アングル）とからなる。
【００３３】
上部板固定板１６ａは、コンクリート板１４の上部中央部の一点でセットボルト（この例ではアンカー）５ａで揺動可能にコンクリート板１４に固定されている。また、上部Ｌ形部材１６ｂは、上部板固定板１６ａの上端部に一部が溶接され、コンクリート板１４の上端面から一定の隙間Ａを有する水平部を有するＬ形部材（アングル）である。上部Ｌ形部材１６ｂは、アンカー６ａで開口部上縁の構造躯体（梁３の下面）に固定されている。
【００３４】
コンクリート板１４の上端面から上部Ｌ形部材１６ｂの水平部下面まで（この例ではアンカー６ａの頭部まで）の一定の隙間Ａは、地震等の際に各コンクリート板１４が上下部が固定されたまま変位に追従して揺動することができるように設定する。この隙間Ａは、例えば５〜１０ｍｍである。
【００３５】
さらに、この隙間Ａには、コンクリート板１４の揺動を阻害しまいように可撓性のある部材（例えばセラミックウール７ａ）が充填され、さらにその外側には、開口部上縁の構造躯体（梁３の下面）とコンクリート板１４の上端面との間を着脱可能にシールするシーリング部材８（シーリング）とバックアップ材９ａが取り付けられている。
【００３６】
下部固定装置１８は、下端が開口部下縁の構造躯体（スラブ４の上面）に固定され、コンクリート板１４の下端面を揺動可能に支持する支持装置である。
この支持装置１８は、第１支持部材１９、第２支持部材２０、及びシール部材２１からなる。
第１支持部材１９は、コンクリート板１２の下端中央部の一点でセットボルト（この例ではアンカー）５ｂで揺動可能にコンクリート板１４に固定された上部板固定板１９ａと、上部板固定板１９ａの下端に一部が溶接されコンクリート板１２の下端面から一定の隙間（図示せず）を有する水平部を有する第１のＬ形部材１９ｂ（例えばＬ形アングル）とからなり、コンクリート板１４の下端中央部の一点を揺動可能に支持する。
【００３７】
コンクリート板１４の下端面から第１Ｌ形部材１９ｂの水平部上面までの一定の隙間は、地震等の際に各コンクリート板１４が上下部が固定されたまま変位に追従して揺動することができるように設定する。この隙間は、例えば５〜１０ｍｍである。
【００３８】
第２支持部材２０は、第１Ｌ形部材１９ｂに一部が溶接され、開口部下縁（水平なスラブ４）に沿って延びる水平部を有する第２Ｌ形部材２０（例えばＬ形アングル）からなる。第２Ｌ形部材２０は、アンカー６ｂで開口部下縁の構造躯体（水平なスラブ４の上面）に固定されている。
【００３９】
シール部材２１は、第１Ｌ形部材１９ｂと第２Ｌ形部材２０の間を水密に塞ぐモルタル２１ａと、モルタルの室外側表面を水密に覆う防水部材（この例で防水層）２１ｂと、防水部材２１ｂとコンクリート板１４の下端面との間を着脱可能にシールするシーリング部材２２とからなる。なお防水層がシーリング部材２２に被る構成でもよい。
モルタル２１ａは、この例では、室内側が高く室外側が低い階段状に形成されている。また、モルタル２１ａの低い部分とコンクリート板の下端面との間にシーリング部材２２が挟持され、その内側には、バックアップ材９ｂが取り付けられている。
さらに、モルタル２１ａとバックアップ材９ｂの隙間には、可撓性のある部材（例えばセラミックウール７ｂが充填されている。なおセラミックウール７ｂに替えてモルタルを充填する構成でもよい。
この構成により、従来のコンクリート立ち上がりに相当する部分は、防水層２１ｂ、シーリング部材２２、バックアップ材９ｂ、セラミックウール７ｂ、モルタル２１ａ、第２Ｌ形部材２０等で置き換えられており、外側から内側まで第１支持部材１９と第２支持部材２０の間を水密に塞ぐことができる。
【００４０】
上述した壁面構造体は、以下のように構築する。
外壁取付部材１２（窓サッシ１２ａ）は、開口部１の所望の位置で構造躯体（柱２、梁３、スラブ４）に取り付ける。この取付けは、サッシの外枠の上下を開口部に数ヶ所設けられたアンカーに溶接で固定し、隙間にモルタルを充填するのがよい。
コンクリート板１４は、外壁取付部材の取付け部以外を塞ぐように位置決めし、吊下装置１６で、コンクリート板の上端面を揺動可能に吊り下げ、支持装置１８で、コンクリート板の下端面を揺動可能に支持する。これにより各コンクリート板の上下部が構造躯体に揺動可能に固定される。
また、支持装置１８は、第１支持部材１９、第２支持部材２０、及びシール部材２１からなるので、従来のコンクリート立ち上がりに相当する部分は、防水層２１ｂ、シーリング部材２２、バックアップ材９ｂ、セラミックウール７ｂ、モルタル２１ａ、第２Ｌ形部材２０等で置き換えられており、外側から内側まで第１支持部材１９と第２支持部材２０の間を水密に塞ぐことができる。
【００４１】
上述したように、本発明の特徴は、従来の下部構造であるコンクリート立ち上がりの上に設けられた第１のＬ形部材１９ｂを、さらに支える第２Ｌ形部材２０を設けたところにある。
そして、第１Ｌ形部材１９ｂと第２Ｌ形部材２０との間にモルタル２１ａを充填し、防水層２１ｂで被覆することで、従来のコンクリート立ち上がりと同一防水性能を確保している。
また、こうした構造にしたことで、従来のようなコンクリート立ち上がりを必要としないので、鉄筋コンクリート造の建物において、柱、梁、スラブといった躯体構造の構築工程に係わりなく、必要な時期に窓サッシなど開口部廻りの壁を構築できる。当然、ＡＬＣ板の取り付け位置も自由に設定できる。
さらに、従来は、建て込むＡＬＣ板の水平レベルを一定にするために、コンクリート立ち上がりの上面にモルタルを塗り、レベルを一定にした上でＬ形アングルの固定をするか、上部板固定板でＡＬＣ板を固定する際に水平レベルをとる必要があり、レベル調整に手間が掛かる問題があったが、本発明に係わる構造では、第２Ｌ形部材２０をアンカー止めした後に、第１Ｌ形部材１９ｂの水平レベルを取りながら第２Ｌ形部材２０に溶接するだけなので容易に水平レベルが出せる。
【００４２】
また、図２からわかるように、ＡＬＣ板の下部は、従来のコンクリート立ち上がりとは異なり、Ｌ形アングル１９ｂ，２０を用いているので鉄筋コンクリート造などの柱、梁、スラブなどの構造躯体の構築時と関係なく、ＡＬＣ板の後付けが可能であり、また、窓サッシの幅や位置が変更になっても、上記の構造躯体の構築時と関係なく関係なく、ＡＬＣ板の後付けが可能である。
【００４３】
図３は、本発明の壁面構造体の第２実施形態を示す図２と同様の横断面図である。この図において、シール部材２１のモルタル２１ａは、ほぼ矩形であり、モルタル２１ａ’は、左官仕上げである。防水層２１ｂは、モルタル２１ａ’を被う構成となっている。その他の構成は、図２と同様である。
この構成によっても、従来のコンクリート立ち上がりに相当する部分を、左官仕上げのモルタル２１ｂ、シーリング部材２２、バックアップ材９ｂ、モルタル２１ａ、第２Ｌ形部材２０等で置き換えることができ、同様に、外側から内側まで第１支持部材１９と第２支持部材２０の間を水密に塞ぐことができる。
【００４４】
また、図３において、コンクリート板１４の下端面から第１Ｌ形部材１９ｂの水平部上面までの一定の隙間Ｂは、ロッキングスペーサー２３で設定されている。ロッキングスペーサー２３は、隙間Ｂに相当する厚さの小片板であり、セットボルト５ｂの真下位置に挟持され、コンクリート板１４の下端を載せることでその組付けを容易にし、かつその揺動を阻害しないようになっている。
【００４５】
図４は、本発明による壁面構造体の外壁の室内側からの別の正面図である。
外壁取付部材１２は、この例では、窓サッシ１２ａと玄関１２ｂである。また、この例では、本発明の構造である第１Ｌ形部材１９ｂと第２Ｌ形部材２０でＡＬＣ板１４による壁の構築が行われている。
こうした壁形状においても、従来のようにコンクリートの立ち上がりがある場合、間取り変更などにより玄関扉の位置の変更があると、その変更に対応できない問い問題があったが、本発明の構造によれば、変更に対応可能である。
【００４６】
図５は、本発明による壁面構造体の外壁の別の平面図である。この図は、壁の形状が折れ曲がっている場合のＡＬＣ板の配置状態を示している。
この図のように、出窓カウンターを設けるような出入のある壁形状に変更する場合であっても、壁を必要とする部分に第２Ｌ形部材２０を設けることで変更に対応できる。
【実施例１】
【００４７】
図６は、本発明による実施例を示す壁面構造体正面図である。上述した本発明の構築方法による壁面構造体を製作し、耐震試験を実施した。
製作した壁面構造体は、図５に示した壁の形状が折れ曲がっている場合であり、８枚のＡＬＣ板を図５のように配置し、その一部に窓サッシを設けた。ＡＬＣ板部分の断面構造は、図３に示したものを用いた。
耐震試験は、上部の梁に相当する上部部材を加圧ジャッキに接続し、加圧ジャッキにより左右水平に加振した。水平加振力は、層間変形角をＲ＝１／８００から１／１００まで増加させ、各部の変位や亀裂を計測した。
その結果、本発明による壁面構造体は、層間変形角１／１００の加振終了時においても補修可能な程度の損傷しか生じておらず、関東大震災や神戸地震級の大地震のも耐えられる耐震性能が確認された。
【００４８】
なお、本発明は上述した実施形態に限定されず、本発明の要旨を逸脱しない限りで種々に変更できることは勿論である。
【図面の簡単な説明】
【００４９】
【図１】本発明による壁面構造体の外壁の室内側からの正面図である。
【図２】図１のＡ-Ａ線における横断面図である。
【図３】本発明の壁面構造体の第２実施形態を示す図２と同様の横断面図である。
【図４】本発明による壁面構造体の外壁の室内側からの別の正面図である。
【図５】本発明による壁面構造体の外壁の別の平面図である。
【図６】本発明による実施例を示す壁面構造体正面図である。
【図７】ロッキング構法の原理図である。
【図８】従来の壁分離工法による外壁構造の室内側からの正面図である。
【図９】図８のＡＬＣ板部分の断面図である。
【図１０】特許文献１の「壁体の構築法」の構造図である。
【図１１】特許文献２の「壁面構造体」の構造図である。
【符号の説明】
【００５０】
１  開口部、２  柱、３  梁、４  スラブ、
５ａ，５ｂセットボルト（アンカー）、６ａ，６ｂアンカー、
７ａ，７ｂ  セラミックウール、８  シーリング部材、
９ａ，９ｂバックアップ材、
１０  壁面構造体、
１２  外壁取付部材、１２ａ  窓サッシ、
１４  コンクリート板（ＡＬＣ板、ＰＣ板）、１４ａ  ボルト孔、
１６  上部固定装置、
１６ａ  上部板固定板、１６ｂ  上部Ｌ形部材（Ｌ形アングル）、
１８  下部固定装置、１９  第１支持部材、
１９ａ  上部板固定板、１９ｂ  第１Ｌ形部材（Ｌ形アングル）、
２０  第２支持部材（第２Ｌ形部材、Ｌ形アングル）、
２１  シール部材、２１ａ  モルタル、２１ｂ  防水部材（防水層）、
２２  シーリング部材、２３  ロッキングスペーサー
【図１】
2006112113.tif 000003
【図２】
2006112113.tif 000004
【図３】
2006112113.tif 000005
【図４】
2006112113.tif 000006
【図５】
2006112113.tif 000007
【図６】
2006112113.tif 000008
【図７】
2006112113.tif 000009
【図８】
2006112113.tif 000010
【図９】
2006112113.tif 000011
【図１０】
2006112113.tif 000012
【図１１】
2006112113.tif 000013